(57)【特許請求の範囲】
【請求項１】
カメラと、前記カメラをカメラ設置面に取り付けるための取付面を有する取付部とを備え、
前記取付面は、前記カメラに対して所定の回転軸を中心にして相対的に回転可能であり、
前記回転軸は、前記カメラのチルト旋回面上において、前記カメラのパン軸に対して第１の角度で設けられており、
前記取付面は、前記回転軸の垂直面に対して第２の角度で設けられていることを特徴とするカメラ装置。
【請求項２】
前記第１の角度および前記第２の角度は、４５度に設定されていることを特徴とする請求項１に記載のカメラ装置。
【請求項３】
前記回転軸が、前記パン軸と前記チルト軸との交点を通るように設けられていることを特徴とする請求項１または請求項２に記載のカメラ装置。
【請求項４】
前記取付面は、前記カメラのパン軸の向きが鉛直方向になるように、前記カメラに対して前記回転軸を中心にして所定の回転角度だけ一の方向に回転されているとともに、前記カメラ設置面に対して垂直な第２の回転軸を中心にして前記回転角度だけ前記一の方向の逆方向に回転されていることを特徴とする請求項１ないし請求項３のいずれかに記載のカメラ装置。
【請求項５】
前記回転角度の基準を示す基準部を備えたことを特徴とする請求項４に記載のカメラ装置。
【発明の詳細な説明】
【技術分野】
【０００１】
本発明は、天井面な壁面などの角度の異なるカメラ設置面に取付け可能なカメラ装置に関するものである。
【背景技術】
【０００２】
従来、天井面や壁面などの角度の異なるカメラ設置面にカメラを取り付けるための装置が提案されている（例えば特許文献１参照）。この従来の装置では、Ｖ字状の取付部材が、カバー体の内部に設けられている。そして、このＶ字状の取付部材を回転させて、取付部材に設けれた２つの取付突出部のいずれか一方をカバー体の貫通孔から外側へ突出させ、その取付突出部を用いてカメラをカメラ設置面に取り付ける。
【特許文献１】特開２００１−３４６０７４号公報（第３−９頁、第１図）
【発明の開示】
【発明が解決しようとする課題】
【０００３】
しかしながら、従来の装置では、天井面から壁面へカメラ設置面の切替えを行うときに、取付部材を回転させて取付突出部を貫通孔から外側へ突出させるために、装置を分解する必要がある。したがって、カメラ設置面の切替えを行うときの作業に手間や労力がかかるという問題があった。
【０００４】
本発明は、上記従来の問題を解決するためになされたもので、カメラ設置面の切替えを容易に行うことのでき、様々なカメラ設置面に対応可能なカメラ装置を提供することを目的とする。
【課題を解決するための手段】
【０００５】
本発明のカメラ装置は、カメラと、前記カメラをカメラ設置面に取り付けるための取付面を有する取付部とを備え、前記取付面は、前記カメラに対して所定の回転軸を中心にして相対的に回転可能であり、前記回転軸は、前記カメラのチルト旋回面上において、前記カメラのパン軸に対して第１の角度で設けられており、前記取付面は、前記回転軸の垂直面に対して第２の角度で設けられた構成を有している。
【０００６】
この構成により、回転軸を中心にして取付面を回転させて、カメラ設置面に応じて取付面の角度を調整することが可能になる。これにより、カメラ装置を分解することなく、カメラ設置面の切替えを容易に行うことのでき、様々なカメラ設置面に対応することができるようになる。
【０００７】
また、本発明のカメラ装置では、前記第１の角度および前記第２の角度は、４５度に設定された構成を有している。
【０００８】
この構成により、回転軸を中心にして取付面を回転させて、取付面の角度がパン軸と平行になるように調整することができ、垂直な壁面への取付けが可能になる。また、回転軸を中心にして取付面を回転させて、取付面の角度がパン軸と垂直になるように調整することができ、水平な天井面への取付けが可能になる。
【０００９】
また、本発明のカメラ装置では、前記回転軸が、前記パン軸と前記チルト軸との交点を通るように設けられた構成を有している。
【００１０】
この構成により、回転軸を中心にして取付面を回転させて、カメラ設置面に応じて取付面の角度を調整したときに、カメラの相対的な位置が保たれる。これにより、取付面の角度を調整してカメラ設置面を切り替えたときに、カメラ位置が変わるのを防ぐことができる。
【００１１】
また、本発明のカメラ装置では、前記取付面は、前記カメラのパン軸の向きが鉛直方向になるように、前記カメラに対して所定の回転角度だけ一の方向に回転されているとともに、前記カメラ設置面に対して前記回転角度だけ前記一の方向の逆方向に回転されている構成を有している。
【００１２】
この構成により、カメラのパン軸Ｐの向きが鉛直方向になるように、取付面をカメラに対して回転させるとともに、その分だけカメラ設置面に対して逆回転させて、取付面の角度を調整することができる。これにより、様々なカメラ設置面に対応することができるようになる。この場合、カメラ設置面を切り替えたときに、カメラの向きが変わるのを防ぐことができる。
【００１３】
また、本発明のカメラ装置では、前記回転角度の基準を示す基準部を備えた構成を有している。
【００１４】
この構成により、取付面やカメラ設置面に対してカメラを回転させるときに、基準部を基準にすることができ、角度の調整作業が容易になる。
【発明の効果】
【００１５】
本発明は、回転軸を中心にして相対的に回転可能な取付面を設けることにより、カメラ設置面の切替えを容易に行うことのでき、様々なカメラ設置面に対応することができるという効果を有するカメラ装置を提供することができるものである。
【発明を実施するための最良の形態】
【００１６】
以下、本発明の実施の形態のカメラ装置について、図面を用いて説明する。本実施の形態では、天井面や壁面などに設置される監視カメラ等として用いられるカメラ装置の場合を例示する。
【００１７】
本発明の実施の形態のカメラ装置を図１〜図３を用いて説明する。図１は、天井面に設置した状態のカメラ装置の側面図であり、図２は、壁面に設置した状態のカメラ装置の側面図である。また、図３は、カメラ装置の斜視図である。
【００１８】
図１〜図３に示すように、カメラ装置１は、パン方向とチルト方向に回転可能なカメラ２と、カメラ２の上部に設けられる支持板３と、支持板３に対して回転可能に取り付けられる取付板４を備えている。取付板４は、ベース板５に固定されており、ベース板５が、カメラ設置面（天井面や壁面など）に取り付けられている。すなわち、カメラ２は、支持板３、取付板４、ベース板５を介して、カメラ設置面（天井面や壁面など）に取り付けられているともいえる。
【００１９】
カメラ２の内部には、カメラ２をパン軸Ｐを中心に回転させるためのパン用モータ（図示せず）と、カメラ２をチルト軸Ｔを中心に回転させるためのチルト用モータ（図示せず）が備えられている。図１および図２の例では、パン軸Ｐが紙面に平行（紙面上）であり、チルト軸Ｔが紙面に垂直である。チルト旋回面が紙面と同一面であるともいえる。
【００２０】
図１および図２に示すように、支持板３は、カメラ２の上部に固定される本体部６と、本体部６から屈曲して延びる屈曲部７を備えている。本体部６は、パン軸Ｐに垂直であり、屈曲部７は、本体部６に対して４５°の角度で設けられている。この屈曲部７に、取付板４が回転可能に取り付けられる。
【００２１】
取付板４は、支持板３の屈曲部７に回転可能に取り付けられる回転取付部８と、カメラ設置面に取り付けられる取付部９を備えている。この回転取付部８は、取付部９に対して４５°の角度で設けられている。取付板４の回転取付部８は、支持板３の屈曲部７に対して回転軸Ｘを中心にして回転可能である。すなわち、取付板４が、支持板３とカメラ２に対して回転軸Ｘを中心にして相対的に回転可能であるともいえる。なお、この取付板４の取付部９には、カメラ設置面に取り付けるための平面状の部分（取付面）が設けられている。
【００２２】
この回転軸Ｘは、カメラ２のパン軸Ｐを含むチルト旋回面上において、パン軸Ｐに対して第１の角度α（ここでは、α＝４５°）で斜めに設けられているともいえる。また、取付面は、回転軸Ｘの垂直面に対して第２の角度β（ここでは、β＝４５°）で斜めに設けられているともいえる。そして、図１および図２に示すように、回転軸Ｘは、パン軸Ｐとチルト軸Ｔの交点を通るような位置に設けられている。
【００２３】
以上のように構成されたカメラ装置１について、図面を用いてその動作を説明する。
【００２４】
（天井面への取付）
本実施の形態のカメラ装置１を天井面に取り付けるときには、まず、ベース板５を天井面へ取り付ける。なお、カメラ装置１の取付前の段階では、支持板３と取付板４はカメラ２に取り付けられており、ベース板５のみが別体になっている。
【００２５】
つぎに、天井面に固定されたベース板５に取付板４を取り付ける。つまり、取付板４と支持板３を介して、カメラ２をベース板５に取り付ける。そして、カメラ２を取付板４に対して相対的に回転させて、カメラ２の向きを水平方向に設定する（図１参照）。すなわち、パン軸Ｐの向きが鉛直方向に設定される。
【００２６】
（壁面への取付）
天井面へ取り付けられていたカメラ装置１を壁面に付け替えるときには、まず、取付板４をベース板５から取り外す。そして、カメラ２から取り外したベース板５を壁面へ取り付ける。
【００２７】
つぎに、壁面に固定されたベース板５に取付板４を取り付ける。つまり、取付板４と支持板３を介して、カメラ２をベース板５に取り付ける。そして、カメラ２を取付板４に対して相対的に回転させて、カメラ２の向きを水平方向に設定する（図２参照）。この場合、取付板４をカメラ２に対して相対的に１８０°回転させる。このようにして、パン軸Ｐの向きが鉛直方向に設定される。
【００２８】
（斜め壁面への取付）
つづいて、本実施の形態のカメラ装置１を斜め壁面に取り付けるときの動作について、図４および図５を用いて説明する。図４は、斜め壁面に設置したときのカメラ装置１の側面図であり、図５は、斜め壁面に設置したときのカメラ装置１の説明図である。ここでは、斜め壁面の角度が６０°の場合を例示して説明する。
【００２９】
図４および図５に示すように、斜め壁面にカメラ装置１を取り付けるときには、まず、斜め壁面の角度（例えば６０°）に応じて、取付板４をカメラ２に対して相対的に所定の回転角度θ（例えば９０°）だけ正方向（例えば図５における左回り方向）に回転させる。
【００３０】
ここで、カメラ２の回転角度θについて説明する。カメラ２を取付板４に対して相対的に回転させると、その回転角度に応じてカメラ２は取付板４に対して上向きになる。この回転角度θは、斜め壁面の角度に応じて、カメラ２のパン軸Ｐの向きが鉛直方向になるように設定される。以下の表に、カメラ２の回転角度θと取付板４に対するカメラ２の角度（仰角）との関係を示す。
【００３１】
0004800281.tif 000002
【００３２】
図５に示すように、斜め壁面にベース板５を取り付けるときには、斜め壁面の角度（例えば６０°）に応じた回転角度θ（例えば９０°）だけ逆方向（例えば図５における右回り方向）に回転させた状態で取り付ける。つぎに、斜め壁面に固定されたベース板５に取付板４を取り付ける。そして、カメラ２を取付板４に対して回転角度θだけ正方向に回転させる。このようにして、パン軸Ｐの向きが鉛直方向になり、カメラ２の向きが正面方向（図５の上方向）に設定される。
【００３３】
図６は、本実施の形態のカメラ装置１の変形例を示す図である。図６に示すように、カメラ装置１には、カメラ２を取付板４に対して回転させるときの回転角度θの基準になる第１目盛り部１０が設けられている。また、ベース板５とカメラ設置面との間に基準板１１が設けられており、ベース板５と基準板１１には、カメラ２をカメラ設置面に対して回転させるときの回転角度θの基準になる第２目盛り部１２が設けられている。この第１目盛り部１０および第２目盛り部１２は、本発明の基準部に相当する。
【００３４】
図６に示したカメラ装置１を斜め壁面に取り付けるときには、まず、斜め壁面に基準板１１を取り付ける。そして、第２目盛り部１２を参照して、斜め壁面の角度（例えば６０°）に応じた回転角度θだけ逆方向に回転させた状態でベース板５を基準板１１に取り付ける。つぎに、基準板１１に固定されたベース板５に取付板４を取り付ける。そして、第１目盛り部１０を参照して、斜め壁面の角度（例えば６０°）に応じた回転角度θだけカメラ２を取付板４に対して正方向に回転させる。
【００３５】
このような本発明の実施の形態のカメラ装置１によれば、回転軸Ｘを中心にして相対的に回転可能な取付面を設けることにより、カメラ設置面（天井面や壁面など）の切替えを容易に行うことのでき、様々なカメラ設置面に対応することができる。
【００３６】
すなわち、本実施の形態では、回転軸Ｘを中心にして取付面を回転させて、カメラ設置面に応じて取付面の角度を調整することができる。これにより、カメラ装置１を分解することなく、カメラ設置面の切替えを容易に行うことのでき、様々なカメラ設置面に対応することができるようになる。
【００３７】
例えば、回転軸Ｘを中心にして取付面を回転させて、取付面の角度がパン軸Ｐと平行になるように調整することができる。これにより、垂直な壁面への取付けが可能になる。また、回転軸Ｘを中心にして取付面を回転させて、取付面の角度がパン軸Ｐと垂直になるように調整することができる。これにより、水平な天井面への取付けが可能になる。
【００３８】
また、この場合、回転軸Ｘを中心にして取付面を回転させて、カメラ設置面に応じて取付面の角度を調整したときに、カメラ２の相対的な位置が保たれる。これにより、取付面の角度を調整してカメラ設置面を切り替えたときに、カメラ位置が変わるのを防ぐことができる。すなわち、カメラ位置が、上下左右にずれるのを防ぐことができる。
【００３９】
また、本実施の形態では、カメラ２のパン軸Ｐの向きが鉛直方向になるように、取付面をカメラ２に対して回転させるとともに、その分だけカメラ設置面に対して逆回転させて、取付面の角度を調整することができる。これにより、様々なカメラ設置面（例えば、斜め壁面）に対応することができるようになる。この場合、カメラ設置面を切り替えたときに、カメラ２の向きが変わるのを防ぐことができる。
【００４０】
本実施の形態の変形例では、取付面やカメラ設置面に対してカメラ２を回転させるときに、第１目盛り部１０および第２目盛り部１２を基準にすることができ、角度の調整作業が容易になる。
【００４１】
以上、本発明の実施の形態を例示により説明したが、本発明の範囲はこれらに限定されるものではなく、請求項に記載された範囲内において目的に応じて変更・変形することが可能である。
【産業上の利用可能性】
【００４２】
以上のように、本発明にかかるカメラ装置は、カメラ設置面の切替えを容易に行うことのでき、様々なカメラ設置面に対応することができるという効果を有し、天井面や壁面などに設置される監視カメラ等として有用である。
【図面の簡単な説明】
【００４３】
【図１】本発明の実施の形態におけるカメラ装置（天井面に設置した状態）の側面図
【図２】カメラ装置（壁面に設置した状態）の側面図
【図３】カメラ装置の斜視図
【図４】カメラ装置（斜め壁面に設置した状態）の側面図
【図５】カメラ装置（斜め壁面に設置した状態）の説明図
【図６】カメラ装置の変形例の説明図
【符号の説明】
【００４４】
１  カメラ装置
２  カメラ
４  取付板
５  ベース板
９  取付部
１０  第１目盛り部
１１  基準板
１２  第２目盛り部
Ｘ  回転軸
Ｐ  パン軸
α  第１の角度
β  第２の角度
θ  回転角度
【図１】
0004800281.tif 000003
【図２】
0004800281.tif 000004
【図３】
0004800281.tif 000005
【図４】
0004800281.tif 000006
【図５】
0004800281.tif 000007
【図６】
0004800281.tif 000008